(57)【要約】【課題】本発明は、アスベスト関連作業に用いられたシートを、付着しているおそれのあるアスベスト繊維の飛散を防止しつつコンパクト化し、さらに最終処分のために埋め立てたてた時にもアスベストの散らばりを完全に防止するための方法に関する。【解決手段】使用後の合成樹脂製シートを、巻き取ることによってアスベストが飛散しないようにして、最終処分場に埋め立てる。巻き取り時の上面がアスベスト関連作業時は作業場の側にあったものとし、巻き取り時は下から上に巻き取られるようにする、また、作業場の側にあったものが内側になるように２つに折りたたみ、それを巻き取るようにする、2つに折りたたんだもの２つを、折ったところが外側になるようにならべて巻き取るなどの方法をとり、シリコーン樹脂乳化液などで処理して固める。【選択図】図１
2008207124.tif 000002
【特許請求の範囲】
【請求項１】
アスベスト関連作業に飛散防止のために用いられた合成樹脂製シートを、作業終了後、巻き取ることによってアスベストが飛散しないようにして、最終処分場に埋め立てることを特徴とするアスベスト関連作業に用いられた合成樹脂製シートの処理方法。
【請求項２】
請求項１において、巻き取り時の上面がアスベスト関連作業中は作業場の側にあったものとし、巻き取り時は下から上に巻き取られるようにしたことを特徴とするアスベスト関連作業に用いられた合成樹脂製シートの処理方法。
【請求項３】
請求項１において、アスベスト関連作業中は作業場の側にあったものが内側になるように２つに折りたたみ、それを巻き取ることを特徴とするアスベスト関連作業に用いられた合成樹脂製シートの処理方法。
【請求項４】
請求項３において、アスベスト関連作業中は作業場の側にあったものが内側になるように２つに折りたたんだもの２つを、折ったところが外側になるように並べて巻き取ることを特徴とするアスベスト関連作業に用いられた合成樹脂製シートの処理方法。
【請求項５】
請求項１，２あるいは３において、巻き取りの最初に、シート両端あるいはシートを巻きつける棒状物の両端を金属製のクリップで掴み、その一方のクリップを回転することによって巻き取りを行い、巻き取り終了後、クリップを含む金属部分を両側に抜き取ることで、巻き取られたものと分離することを特徴とするアスベスト関連作業に用いられた合成樹脂製シートの処理方法。
【請求項６】
請求項１，２，３、４あるいは5において、シートの端部に近い部分に、連続的に接着剤を供給しながら巻き取りを行うことを特徴とするアスベスト関連作業に用いられた合成樹脂製シートの処理方法。
【請求項７】
請求項１，２，３、４，５あるいは6によって得られた巻取り物の両端面、あるいは全体をシリコーン樹脂の乳化液に漬けて、引き上げ、乾燥、固化させることを特徴とするアスベスト関連作業に用いられた合成樹脂製シートの処理方法。
【請求項８】
請求項１，２，３、４，５あるいは6によって得られた巻取り物の最終端部、および両端面に１５０℃以上に加熱した金属を押し付けて軟化、溶融させることを特徴とするアスベスト関連作業に用いられた合成樹脂製シートの処理方法。
【発明の詳細な説明】
【技術分野】
【０００１】
本発明は、アスベスト剥ぎ取りなどの作業時にアスベスト繊維の飛散防止に用いた合成樹脂製シートをアスベストの再飛散がないように処理するためのものである。
【背景技術】
【０００２】
アスベストは，耐熱性、耐磨耗性など工業的に優れた特性を持っているために、建築関係では、保温、吸熱、吸音用などに吹き付け材として広く採用されてきた。しかし、最近になって、アスベストに起因すると思われる肺ガン・中皮腫患者が増加して大きな社会問題になっている。
これまで使われたアスベスト含有吹き付け物には、吸音・結露防止用にはアスべスト約７０％、耐火被覆用にはアスべスト約６０％、それ以外のアスベスト含有吹き付け材としては、アスベスト３０％以下あるいは５％以下などがある。アスベスト以外のものは、成分的にはアスベスト同様、ＳｉＯ２やＭｇＯが主体であるが、繊維径がアスベストに比べて大きいバーミキュライト、ロックウールなどで、その毒性は小さい。
現在はアスベスト含有量がある値以上のものは使用禁止になっている。しかし、すでに施工されているものについては、アスベストの飛散を完全に防止するか、あるいはアスベスト含有物を取り除き安定化することが望まれている。後者の場合、水などで湿潤して飛散を防止しながら剥ぎ取り作業が行われるが、この作業時にアスベスト繊維の飛散がないように多量のシート状用品や、作業者を守るための防御服や防御用品が用いられる。そして、その作業終了とともに、その用品は全て、アスベスト繊維の付着の危険があるため、袋に密封して管理型最終処分場に埋め立てられてきた。しかし、管理型処分場の余力が少なくなってきている。このために、安全が確保されることが大前提であるが、限られた処分場の寿命延長のためにも、この廃棄物の容積を減らすことが望まれる。
【０００３】
農業用のビニールシートを撤収するために巻き取りを行う方法は特許文献１、実用新案文献２などに示されている。しかし、農業用のシートに比べて、アスベスト処理に用いられたシートは、アスベスト繊維という有害物を付着している可能性があることが問題である。したがって、この付着しているおそれのあるアスベスト繊維の、作業中および最終処分地に埋め立て後、長期間にわたって飛散防止に特別な配慮が加えなければならない。これまで、アスベスト処理に用いられたシートを巻き取って最終処分するという方法についての先行特許情報はない。
【特許文献１】特開平８−３２４８５２号公報
【特許文献２】実用新案登録第３０８１０１２号公報
【発明の開示】
【発明が解決しようとする課題】
【０００４】
本発明は、アスベスト関連作業でアスベストの飛散防止に用いられた合成樹脂製のシートを、付着しているおそれのあるアスベスト繊維の飛散を防止しつつコンパクト化し、さらに最終処分のために埋め立てる場合にもアスベストの散らばりを完全に防止するための方法に関する。
【課題を解決するための手段】
【０００５】
上記の課題を解決するための手段の第１は、アスベスト関連作業に用いられた合成樹脂製シートを、作業終了後、巻き取ることによってアスベストが飛散しないようにして、最終処分場に埋め立てることである。
【０００６】
手段の第２は、０００５において、巻き取り時のシート上面がアスベスト関連作業中は作業場の側にあったものとし、巻き取りは下から上に行われるようにすることである。
【０００７】
手段の第３は、０００５において、アスベスト関連作業中は作業場の側にあったものが内側になるように２つに折りたたみ、それを巻き取ることである。
【０００８】
手段の第４は、０００７において、アスベスト関連作業中は作業場の側にあったものが内側になるように２つに折りたたんだもの２つを、折ったところが外側になるようにならべて巻き取ることである。
【０００９】
手段の第５は、０００５，０００６，０００７において、巻き取りの最初に、シートの両端あるいはシートを巻きつける棒状物の両端を金属製のクリップで掴み、その一方のクリップを回転することによってシートの巻き取りを行い、巻き取り終了後、クリップを含む金属部分を両側に抜き取ることで、巻き取られたものと分離することである。
【００１０】
手段の第６は、０００５，０００６，０００７，０００８および０００９において、シートの端部に近いところに、連続的に接着剤を供給しながら巻き取りを行うことである。
【００１１】
手段の第７は、０００５，０００６，０００７、０００８および０００９において得られた巻取り物の両端面、あるいは全体をシリコーン樹脂の乳化液に漬けて、引き上げ、乾燥、固化させることである。
【００１２】
手段の第８は、０００５，０００６，０００７、０００８および０００９において得られた巻取り物の最終端部、および両端面に１５０℃以上に加熱した金属を押し付けて軟化、溶融させることである。
【発明の効果】
【００１３】
これらの方法によって、アスベスト関連作業に用いた合成樹脂製シートを、付着しているおそれのあるアスベスト繊維の飛散が生じない方法でコンパクト化し、かつ埋め立ててもアスベスト繊維のちらばりがない状態にすることができる。
【発明を実施するための最良の形態】
【００１４】
アスベスト含有物の除去など、アスベスト関連作業の流れを図1に示す。本発明の対象となるのは、外部へのアスベストの飛散を防止するために、作業空間の境界に用いた合成樹脂製シートの後処理工程である。従来法は取り外したシートを合成樹脂製の二重構造の袋に押し込んで密封したのち運搬して最終処分場に埋め立てるというもので、その場合、容積が大きいことが問題であった。それに対して、本発明ではシートを取りはずす前にシートの面のうちアスベスト作業空間側にあったものを確認して、マーキングする。取りはずしたシートは、幅が約９０ｃｍあるいは約１８０ｃｍであるが、取り外したシートのアスベスト作業空間側にあった側を上面にするか、あるいは、それを上面にしてから２つに折りたたむ。2つに折りたたむことによって、以後の取り扱いでシート面が外部のものの面とこすれることで、付着していたアスベストが散らばることを防止できるという利点がある。
【００１５】
シートの処理には巻き取るという方法がコンパクト化などに効果があることは知られており、実際に農業用のシート処理では、巻き取りという方法が用いられてきた。これは、シートの再利用につなげるためという考えが根底にあったためと思われる。これに対してアスベスト作業空間の境界に用いたものは、1回限りで最終処分しなければならないということが、２重の合成樹脂製の袋につめるというような作業が行われてきた原因と思われる。いずれにしても、本発明は，アスベスト関連作業で用いられた合成樹脂製のシートの問題を、巻き取り法を用いて解決する手段を提供するものである。
【００１６】
本発明に用いるシート巻取り装置の一例を図２に示す。シートあるいはシートを折り畳んだもの１を巻き取り部に供給するためのガイド部分は、３つの横ガイドロール２と、両側の縦ガイドロール３からなる。本発明の特色の１つは、シートを折り畳まない状態で巻き取る時には、巻き取り時の上面がアスベスト関連作業中は作業場の側にあったものとし、巻き取り時は下から上に巻き取られるようにすることである。これは付着しているおそれがあるアスベスト繊維がシートからはがれることを抑制するためである。
【００１７】
巻き取り部の動力源としては、ハンドルを回す人力と、回転軸を回すモーターのいずれを採用することも可能である。また、その回転動力を巻き取り物に伝えるための方式としては、次ぎの２つがある。１つは、巻き取り心棒４（たとえば直径３５ｍｍの金属棒）の上に紙管をセットして、それにシートの先端を接着テープでとめて回転し、１つのシートの巻き取りを終わったら、接着テープなどで次のシートと接続して、巻き取りを行い、所定量のシートの巻き取りを行ったら、紙管ごと、回転心棒４からはずして、新たな紙管をセットするという方式である。
【００１８】
第２の方式は、巻き取りの最初に、シート両端あるいはシートを巻きつける棒状物の両端を金属製のクリップで掴み、その一方のクリップを回転することによって巻き取りを行い、巻き取り終了後、クリップを含む金属部分を両側に移動することで、巻き取られたものと分離するものである。シート両端をクリップで掴んだ場合には、一方のクリップに与える回転力と同期する回転力がもう一方のクリップの側にも与えられるような構造とする。一方、シートを巻きつける棒状物の両端を金属製のクリップで掴んだ場合には、回転力は片方のクリップにつながる軸だけに伝えればよい。
【００１９】
巻き取りを行うものの幅は約１８０ｃｍとして両側に余裕代１０ｃｍ程度を置く方式と、巻き取りを行うものの幅は約９０ｃｍとして両側に余裕代１０ｃｍ程度を置く方式との２つがある。巻き取り段階でのシートの状況としては、幅約１８０ｃｍのものを折り畳まないで、上面がアスベスト関連作業中は作業場の側にあったものとしたもの、あるいは、これを2つに折りたたんだ状態のものである。なお、２つの折りたたんだ時には、上になる部分の長さが下になる部分の長さより１ｃｍ以上短くなるようにする。これに、００１６で述べように、シートに付着しているおそれがあるアスベスト繊維の散らばりを抑制する効果がある。このような状態のシートを巻き取る方法としては次の３つがある。（１）折り畳まないものを巻き取る（２）２つに折ったもの、１つを巻き取る、（３）２つに折ったものを2つ並べて巻き取る。なお、（３）の場合には、折ったところが外側になるように並べて、２つにものが中央部で重なりを持つようにセットして行う。この際、上に述べた、上になる部分の長さが下になる部分の長さより１ｃｍ以上短くしたことによって、巻き取り物中央部の厚さの変化を緩和することができる。
【００２０】
巻き取りを行うものの幅が約１８０ｃｍとして両側に余裕代１０ｃｍ程度を置く方式は、シート幅約１８０ｃｍ、および約９０ｃｍの上記（１）、（２）（３）のすべてに対応できる。一方、巻き取りを行うものの幅は約９０ｃｍとして両側に余裕代１０ｃｍ程度を置いた方式は、シート幅約１８０ｃｍの場合の、上記（２）、およびシート幅が約９０ｃｍの上記（１）、（２）（３）のすべてに対応できる。
なお、００１７で述べた回転動力を巻き取り物に伝えるための方式の第１は、上記（１），（２）、（３）の全ての場合に適用できる。一方、００１８で述べた回転動力を巻き取り物に伝えるための方式の第２は、上記（１），（２）の場合に適用できる。
【００２１】
他のシート巻き取り法と異なる本発明の特徴は、有害物であるアスベストが付着しているおそれのあるために、それが外部に出てこないように密封処理することである。そのための第1の方法は、シートの端部に近い部分に、連続的に接着剤を供給しながら巻き取りを行うことである。これによって巻き取り終了時点で、付着しているおそれのあるアスベスト繊維については、密封された状態を作ることができる。第２の方法は、得られた巻取り物の両端面、あるいは全体をシリコーン樹脂の乳化液に漬けて、引き上げ、乾燥、固化させることである。シリコーン樹脂の乳化液に漬けると、液はシートの空隙に浸透し、とくにアスベスト繊維の表面を濡らす。そして引き上げて、水分などが蒸発するとシリコーン樹脂の固化が起こる。そして、第１の方法と同じく、
付着しているおそれのあるアスベスト繊維については、密封された状態を作ることができる。第３の方法は、巻取り物の最終端部、および両端面に１５０℃以上に加熱した金属を押し付けて軟化、溶融させることである。温度はシートの種類によってきまる軟化、溶融温度より、２０℃以上、５０℃以下になるように設定する。加熱具は鉄などの金属をバーナーあるいは電気抵抗で加熱し、それを、巻き取り物の最終端部
や両端面に押し付ける。これによって、第１、第２の方法と同様に、付着しているおそれのあるアスベスト繊維については、密封された状態を作ることができる。
【００２２】
００２１のいずれかの処理を行った巻き取り物は、必要に応じて別のシートでくるむ操作を加えてから、アスベスト含有のおそれがある廃棄物に義務づけられている管理型処分場へ埋め立てられる。この場合に、従来の二重構造の袋につめられた場合にくらべて容積が小さくなっていることに最大の特色がある。
【実施例１】
【００２３】
吹き付けアスベストの剥ぎ取り作業に用いられた合成樹脂製のシート（幅；約１８０ｃｍ）を、アスベスト繊維が付着している側をマーキングして取り外し、マーキングされた側が上になるようにする。これを幅が２１０ｃｍの巻き取り装置にかけて巻き取る。巻き取り部の回転心棒は外径３５ｍｍのアルミ棒でその上に紙筒をかぶせ、心棒と一緒に回転するようにする。巻き取りの最初は、接着テープでシートの先端を紙筒に留める。途中、別のシートに切りかえる時にも接着テープでつないで、巻き取りを行い、重量で約２０ｋｇになった時点で巻き取り物を紙筒ごと巻取り装置からはずし、シリコーン樹脂を３５％含有する乳化液に浸して、５分後に引き上げる。この作業が終了後、５日で最終処分場に埋め立てた。
【実施例２】
【００２４】
吹き付けアスベストの剥ぎ取り作業に用いられた合成樹脂製のシート（幅；約１８０ｃｍ）を、アスベスト繊維が付着している側をマーキングして取り外し、マーキングされた側が内側になるように2つに折りたたむ。折りたたんだものの全幅は、約９５ｃｍであった。この折りたたんだもん２つを、折りたたんだ部分がそれぞれ外側になるように、中心部は８ｃｍ程度が重なるように並べて、幅が２１０ｃｍの巻き取り装置にかけて巻き取る。回転心棒、紙筒の使用、および巻き取り操作は００２３で述べたのと同じである。巻き取りを行い、重量で約２０ｋｇになった時点で巻き取り物を紙筒ごと巻取り装置からはずし、アイロン状の金属製ヒーターの温度を２００℃に設定して、巻き取り物の最終端部、および両端面に押し当てて、軟化、溶融させる。この処理物を、２日後に最終処分場に埋め立てた。
【実施例３】
【００２５】
吹き付けアスベストの剥ぎ取り作業に用いられた合成樹脂製のシート（幅；約９０ｃｍ）を、アスベスト繊維が付着している側をマーキングして取り外し、マーキングされた側が上になるようにする。これを幅が１１０ｃｍの巻き取り装置にかけて巻き取る。巻き取り部の一辺が２０ｍｍの木の角材の両端を鉄製クリップで掴み、回転する方法である。巻き取りの最初は、接着テープでシートの先端を木の棒に留める。途中、別のシートに切りかえる時にも接着テープでつないで、巻き取りを行い、重量で約２０ｋｇになった時点で巻き取り物をクリップを両端に移動して木の棒を含む巻取り物からはずす。取り外した巻き取り物を００２３と同じくシリコーン樹脂を３５％含有する乳化液に浸して、５分後に引き上げる。この作業が終了後、５日で最終処分場に埋め立てた。
【実施例４】
【００２６】
吹き付けアスベストの剥ぎ取り作業に用いられた合成樹脂製のシート（幅；約１８０ｃｍ）を、アスベスト繊維が付着している側をマーキングして取り外し、マーキングされた側が内側になるように2つに折りたたむ。折りたたんだものの全幅は、約９５ｃｍであった。この折りたたんだもの、幅が１１０ｃｍの巻き取り装置にかけて巻き取る。回転心棒、紙筒の使用、および巻き取り操作は００２３で述べたのと同じである。この巻取りの際に、シート両端から１０ｍｍの部分に連続的に合成樹脂製接着剤を添加する。シートの結合は、００２３で述べたのと同じである。重量で約２０ｋｇになった時点で巻き取り物を紙筒ごと巻取り装置からはずし、翌日、最終処分場に埋め立てた。
【実施例５】
【００２７】
吹き付けアスベストの剥ぎ取り作業に用いられた合成樹脂製のシート（幅；約９０ｃｍ）を、アスベスト繊維が付着している側をマーキングして取り外すし、マーキングされた側が内側になるように2つに折りたたむ。折りたたんだものの全幅は、約５０ｃｍであった。この折りたたんだもん２つを、折りたたんだ部分がそれぞれ外側になるように、中心部は８ｃｍ程度が重なるように並べて、幅が１１０ｃｍの巻き取り装置にかけて巻き取る。回転心棒、紙筒の使用、および巻き取り操作は００２３で述べたのと同じである。巻き取りを行い、重量で約２０ｋｇになった時点で巻き取り物を紙筒ごと巻取り装置からはずし、アイロン状の金属製ヒーターの温度を２００℃に設定して、巻き取り物の最終端部、および両端面に押し当てて、軟化、溶融させる。この処理物を、２日後に最終処分場に埋め立てた。
【産業上の利用可能性】
【００２８】
本発明の方法は、アスベスト関連作業に用いられた合成樹脂製シートだけでなく、アスベストが付着しているおそれがある他のシート状廃棄物の処理にも用いることができる。
【図面の簡単な説明】
【００２９】
【図１】本発明における作業の流れを示す。
【図２】シート巻き取りに用いる装置の一例を示す。
【符号の説明】
【００３０】
１．アスベスト関連作業に用いられたシートあるいはそれを折り畳んだもの
２．ガイド部の横ロール
３．ガイド部の縦ロ―ル
４．回転心棒
５．巻き取り物
６  巻き取り部の枠
【図１】
2008207124.tif 000003
【図２】
2008207124.tif 000004